(57)【要約】【課題】ヌル信号からなるガード・インターバルを設けたＯＦＤＭ通信を行なう。【解決手段】送信側では、ガード・インターバル区間をヌル信号で構成し、送信電力を節約するとともに、ＳＮ比の劣化を防止する。受信側では、受信シンボルの有効シンボル部分からはみ出した信号成分を反対側の有効シンボル部分に加算する巡回加算処理を行ない、送信側の窓関数で減衰した信号エネルギを復元するとともに、遅延波成分を有効シンボル内で連続としサブキャリア間干渉をなくす。ガード・インターバルの最後まで受信シンボルあるとは限らないので、伝搬路の推定結果に応じて巡回加算する範囲を決定する。【選択図】  図１０
2007243235.tif 000002
【特許請求の範囲】
【請求項１】
ガード・インターバル区間がヌル信号で構成されるＯＦＤＭ信号を受信する無線通信装置であって、
受信シンボルの有効シンボル部分からはみ出した信号成分を反対側の有効シンボル部分に加算する巡回加算によって受信信号の波形を整形する波形整形部と、
波形整形した後の受信信号の処理を行なう信号処理部を備え、
前記波形整形部は、受信シンボルのうち有効シンボル部分の先頭からはみ出した信号部分を保存するメモリと、受信シンボルのうち有効シンボル部分の末尾からはみ出した信号部分を取り出して前記メモリに保存されている信号部分と加算する加算器と、受信シンボルのうち有効シンボル部分及び前記加算器の出力信号を選択的に信号処理部に出力する選択部を備える、
ことを特徴とする無線通信装置。
【請求項２】
伝搬路を推定するとともに、該推定結果に基づいて求められる最大遅延時間に応じて巡回加算を行なう範囲を決定する伝搬路推定部をさらに備え、
前記波形整形部は、受信シンボルの先頭から該決定した範囲の信号を前記メモリに保存し、前記加算器は、受信シンボルの末尾から該決定した範囲の信号と前記メモリに保存されている信号を巡回加算し、前記選択部は、受信シンボルから前後の該決定した範囲を切り落とした部分の信号と前記加算器の出力信号を有効シンボルとして前記信号処理部に出力する、
ことを特徴とする請求項１に記載の無線通信装置。
【請求項３】
前記信号処理部は、波形整形後の受信信号からＦＦＴウィンドウで有効シンボル部分を切り取ってフーリエ変換を行なって、周波数領域のサブキャリアを生成するフーリエ変換部と、各サブキャリアについてチャネル補正を施すチャネル補正部を備え、
前記伝搬路推定部は、巡回加算する範囲に応じたＦＦＴウィンドウ・タイミングを前記フーリエ変換部に通知するとともに、巡回加算する範囲に応じた位相情報を前記チャネル補正部に通知する、
ことを特徴とする請求項２に記載の無線通信装置。
【請求項４】
伝搬路を推定するとともに、該推定結果に基づいて求められる最大遅延時間に応じて巡回加算を行なう範囲を決定する伝搬路推定部をさらに備え、
前記波形整形部は、該決定した範囲までは前記メモリから読み出した受信信号を前記加算器に供給するとともに、それ以降は該受信信号を０に切り替えて前記加算器に供給する信号切り替え部を備え、前記加算器は、有効シンボルの末尾をはみ出した部分の該決定された範囲以降では受信信号に代えて０と巡回加算を行なう、
ことを特徴とする請求項１に記載の無線通信装置。
【請求項５】
ガード・インターバル区間がヌル信号で構成されるＯＦＤＭ信号を受信する無線通信方法であって、
受信シンボルのうち有効シンボル部分の先頭からはみ出した信号部分を保存する信号保存ステップと、
受信シンボルのうち有効シンボル部分について信号処理を行なう第１の信号処理ステップと、
受信シンボルのうち有効シンボル部分の末尾からはみ出した信号部分を前記信号保存ステップにおいて保存した信号部分と巡回加算する巡回加算ステップと、
巡回加算した後の受信信号の処理を行なう第２の信号処理ステップと、
を具備することを特徴とする無線通信方法。
【請求項６】
ガード・インターバル区間がヌル信号で構成されるＯＦＤＭ信号を受信するための処理をコンピュータ上で実行するようにコンピュータ可読形式で記述されたコンピュータ・プログラムであって、前記コンピュータに対し、
受信シンボルのうち有効シンボル部分の先頭からはみ出した信号部分を保存する信号保存手順と、
受信シンボルのうち有効シンボル部分について信号処理を行なう第１の信号処理手順と、
受信シンボルのうち有効シンボル部分の末尾からはみ出した信号部分を前記信号保存ステップにおいて保存した信号部分と巡回加算する巡回加算手順と、
巡回加算した後の受信信号の処理を行なう第２の信号処理手順と、
を実行させることを特徴とするコンピュータ・プログラム。
【発明の詳細な説明】
【技術分野】
【０００１】
本発明は、マルチパス環境下において、遅延ひずみ対策のために送信データを周波数の異なる複数のキャリアに分配されたマルチキャリア信号を受信する無線通信装置及び無線通信方法、並びにコンピュータ・プログラムに係り、特に、キャリア間干渉を防止するために送信電力を増大しないガード・インターバル区間が設けられたマルチキャリア信号を受信する無線通信装置及び無線通信方法、並びにコンピュータ・プログラムに関する。
【背景技術】
【０００２】
近年、「ウルトラワイドバンド（ＵＷＢ）通信」と呼ばれる、非常に広い周波数帯域を使用して１００Ｍｂｐｓ以上の高速伝送を可能にする無線通信方式が注目を集めている。例えば米国では、ＦＣＣ（Ｆｅｄｅｒａｌ Ｃｏｍｍｕｎｉｃａｔｉｏｎｓ Ｃｏｍｍｉｓｓｉｏｎ：連邦通信委員会）によりＵＷＢ用のスペクトラム・マスクが規定されており、室内環境において３．１ＧＨｚから１０．６ＧＨｚの帯域でＵＷＢ伝送を行なうことができる。ＵＷＢ通信は、送信電力の関係から近距離向けの無線通信方式であるが高速な無線伝送が可能であることから、通信距離が１０ｍ程度のＰＡＮ（Ｐｅｒｓｏｎａｌ  Ａｒｅａ  Ｎｅｔｗｏｒｋ）が想定され、近距離超高速伝送を実現する無線通信システムとしてその実用化が期待されている。
【０００３】
例えば、ＩＥＥＥ８０２．１５．３の標準会議では、ＵＷＢ通信のアクセス制御方式として、プリアンブルを含んだパケット構造のデータ伝送方式が考案されている。同会議では、ＯＦＤＭ変調方式を採用したＯＦＤＭ＿ＵＷＢ方式が定義され、試作が行なわれている。これによれば、ＦＣＣで定められた３．１ＧＨｚから１０．６ＧＨｚまでの帯域をそれぞれ５２８ＭＨｚ幅からなる複数のサブバンドに分割して、サブバンド間を周波数ホッピング（ＦＨ）するマルチバンド方式（以下、「ＭＢ−ＯＦＤＭ方式」とする）が検討されている。
【０００４】
ＯＦＤＭ変調方式では、各サブキャリアがシンボル区間内で相互に直交するように各キャリアの周波数が設定されている。サブキャリアが互いに直交するとは、任意のサブキャリアのスペクトラムのピーク点が常に他のサブキャリアのスペクトラムのゼロ点と一致していることを意味する。ＯＦＤＭ変調方式によれば、送信データを周波数の異なる複数のキャリアに分配して伝送するので、各キャリアの帯域が狭帯域となり、周波数利用効率が非常に高く、周波数選択性フェージング妨害に強い。
【０００５】
ＯＦＤＭ送信機は、シリアルで送られてきた情報を情報伝送レートより遅いシンボル周期毎にシリアル／パラレル変換して出力される複数のデータを各サブキャリアに割り当ててサブキャリア毎に振幅及び位相の変調を行ない、その複数サブキャリアについて逆ＦＦＴを行なうことで周波数軸での各サブキャリアの直交性を保持したまま時間軸の信号に変換して送信する。また、ＯＦＤＭ受信機は、この逆の操作、すなわちＦＦＴを行なって時間軸の信号を周波数軸の信号に変換して各サブキャリアについてそれぞれの変調方式に対応した復調を行ない、パラレル／シリアル変換して元のシリアル信号で送られた情報を再生する。
【０００６】
ＯＦＤＭ伝送方式は、複数の直交するサブキャリアを用いることでシンボル長を長くすることによりマルチパスに強くなるが、遅延波が次のシンボルにかかるためシンボル間干渉が生じるという問題がある。また、サブキャリア間の干渉（キャリア間干渉）も生じるため受信特性が劣化する。このため、送信シンボル間にガード・インターバルを設け、シンボル間干渉をなくすという方法が従来から用いられている。すなわち、所定のガード・インターバル・サイズ、ガード・バンド・サイズ、及びタイミングに従って、ガード・インターバルやガード・バンドなどのガード信号を送信シンボル毎に挿入する。
【０００７】
また、ガード・インターバル区間に送信信号の一部を繰り返し伝送することが一般的に行なわれている（例えば、非特許文献１を参照のこと）。ガード・インターバル区間に挿入した繰り返し信号（サイクル・プリフィックス）は、ガード・インターバル・サイズ以下のマルチパス伝搬（多重反射電波伝搬）を吸収して、サブキャリア間の干渉を除去し、受信品質の致命的な劣化を防止する、シンボル・タイミングや周波数の同期を行なうことができるといった利点がある。逆に、ガード・インターバルに繰り返し信号を挿入しない場合、ビット・エラー率が低下してしまう（例えば、非特許文献２を参照のこと）。
【０００８】
ところが、ガード・インターバル区間に挿入した繰り返し信号は、受信機において信号電力として寄与しないため、送信電力が大きくなるという欠点がある。また、繰り返し信号の挿入により送信シンボル長が長くなるため、送信信号ではキャリア間干渉が生じるという問題が起きる。このキャリア間干渉によって単位周波数当たりの送信電力が高くなる。単位周波数当たりの送信電力に対する法規制を遵守するために送信電力を下げる必要があり、ＳＮＲの劣化につながる。
【０００９】
例えば、送信電力の節減のために、繰り返し信号に代えてヌル信号（ヌル・プリフィックス）をガード・インターバルに挿入するということも考えられる。この場合、例えば等化器を用いることによって、ビット・エラー率の低下の問題を解決することができる（例えば、非特許文献３並びに非特許文献４を参照のこと）。しかしながら、ヌル信号部分では受信機側で波形歪みを生じてしまうことから、等化器は回路構成が複雑となり、装置コストの増大を招来する。
【００１０】
これに対し、送信側ではガード・インターバル区間がヌル信号で構成されるマルチキャリア信号を送出し、  受信側では受信信号の有効シンボル以降の信号成分を利用して有効シンボルの先頭の信号成分を波形整形する無線通信システムについて提案がなされている（例えば、特許文献１を参照のこと）。この無線通信システムによれば、送信側では、ガード・インターバルにヌル信号を挿入することで、送信エネルギを減らすことが可能となる。また、ガード・インターバルに繰り返し信号を用いないため、送信信号のスペクトルのがたつきがなくなり、ピークが小さくなる。したがって、単位周波数当たりの送信電力を抑えることができる。
【００１１】
一方、受信側では、受信シンボルの先頭における遅延波部分は高調波を発生する原因となりキャリア間干渉を引き起こす原因になるが、受信信号の有効シンボル以降の成分を有効シンボルの先頭の遅延波成分に加算処理して波形整形するという「巡回加算」を実施することによって、受信シンボルの先頭の遅延波成分と加算されたガード・インターバル部分の信号波形を連続にしてサブキャリア間の干渉を除去することができる。
【００１２】
ここで、受信機側で、受信信号の有効シンボルに続くガード・インターバル区間全体を有効シンボルの先頭部分に加算して波形整形すると、ガード・インターバル部分の雑音もそのまま加算されることになり雑音電力が増加する。したがって、マルチパスの最大遅延時間がガード・インターバル区間より小さい場合には、最大遅延時間分だけを使って巡回加算を行ない、加算される雑音電力を減らすことで受信ＳＮＲが向上する。
【００１３】
また、マルチパスの最大遅延時間は伝搬路の状況に応じて変化することから、受信機は、受信信号から伝搬路推定により求められた最大遅延時間に基づいて、受信信号の有効シンボル以降の遅延波成分をより正確に取り出して、巡回加算を実施することが好ましい。これによって、受信シンボルに加算される雑音成分を最低限に抑えることで、復調性能の劣化を防ぎ、受信ＳＮＲを向上させることができる。
【００１４】
例えば、パイロット信号から伝搬路を推定し、最大遅延時間を得ることができる。あるいは、受信信号に含まれるプリアンブルの相関をとるとともに受信信号の電力を計算して相関結果を正規化し、正規化された相関結果と所定の閾値を比較することにより最大遅延時間を計時し、これに基づいて遅延波成分を特定することができる。
【００１５】
以上説明してきたように、ガード・インターバルにヌル信号を挿入するＯＦＤＭ通信方式では、受信機側において、伝搬路状況に応じたマルチパスの最大遅延時間の変化に基づいて、巡回加算を行なう範囲を可変にすることによって、受信性能を向上できることが分かっている。このような巡回加算を行なう回路を簡易に構成する方法が望まれている。
【００１６】
【特許文献１】Ｗ２００５／００２１２１
【非特許文献１】塩見正外著「ディジタル放送」（株式会社オーム社、１９９８）
【非特許文献２】Ｒ．Ｍｏｒｒｉｓｏｎ外著“Ｏｎ  ｔｈｅ  Ｕｓｅ  ｏｆ  ａ  Ｃｙｃｌｉｃ  Ｅｘｔｅｎｓｉｏｎ  ｉｎ  ＯＦＤＭ”（０−７８０３−７００５−８／＄１０．００  ＩＥＥＥ，２００１）
【非特許文献３】Ｓ．Ｂａｒｂａｒｏｓｓａ外著“Ｐｅｒｆｏｒｍａｎｃｅ  Ａｎａｌｙｓｉｓ  ｏｆ  ａ  Ｄｅｔｅｒｍｉｎｉｓｔｉｃ  Ｃｈａｎｎｅｌ  Ｅｓｔｉｍａｔｏｒ  ｆｏｒ  Ｂｌｏｃｋ  Ｔｒａｎｓｍｉｓｓｉｏｎ  Ｓｙｓｔｅｍｓ  Ｗｉｔｈ  Ｎｕｌｌ  Ｇｕａｒｄ  Ｉｎｔｅｒｖａｌｓ”
【非特許文献４】Ｂ．Ｍｕｑｕｅｔ外著“Ｃｙｃｌｉｃ  Ｐｒｅｆｉｘｉｎｇ  ｏｒ  Ｚｅｏｒ  Ｐａｄｄｉｎｇ  ｆｏｒ  Ｗｉｒｅｌｅｓｓ  Ｍｕｌｔｉｃａｒｒｉｅｒ  Ｔｒａｎｓｍｉｓｓｉｏｎｓ”（ＩＥＥＥ  ＴＲＡＮＳＡＣＴＩＯＮＳ  ＯＮ  ＣＯＭＭＵＮＩＣＡＴＩＯＮＳ，  ＶＯＬ．５０，  ＮＯ．１２，  ＤＥＣＥＭＢＥＲ２００２）
【発明の開示】
【発明が解決しようとする課題】
【００１７】
本発明のさらなる目的は、シンボル間干渉をなくすために送信シンボル間にガード・インターバルが設けられたマルチキャリア信号を好適に受信することができる、優れた無線通信装置及び無線通信方法、並びにコンピュータ・プログラムを提供することにある。
【００１８】
本発明のさらなる目的は、キャリア間干渉を防止するために送信電力を増大しないガード・インターバル区間が構成されたマルチキャリア信号を好適に受信することができる、優れた無線通信装置及び無線通信方法、並びにコンピュータ・プログラムを提供することにある。
【００１９】
本発明のさらなる目的は、ガード・インターバル部分に生じた遅延波成分をシンボルの先頭に加算する巡回加算を実施することで、キャリア間干渉を適切に除去してマルチキャリア信号を好適に受信処理することができる、優れた無線通信装置及び無線通信方法、並びにコンピュータ・プログラムを提供することにある。
【００２０】
本発明のさらなる目的は、ガード・インターバル部分に生じた遅延波成分を伝搬路状況に応じて適切に切り出して巡回加算を実施することで、キャリア間干渉を適切に除去してマルチキャリア信号を好適に受信処理することができる、優れた無線通信装置及び無線通信方法、並びにコンピュータ・プログラムを提供することにある。
【００２１】
本発明のさらなる目的は、ガード・インターバル部分に生じた遅延波成分を伝搬路状況に応じて適切に切り出して巡回加算を実施するための回路を簡易に構成することができる、優れた無線通信装置及び無線通信方法、並びにコンピュータ・プログラムを提供することにある。
【課題を解決するための手段】
【００２２】
本発明は、上記課題を参酌してなされたものであり、その第１の側面は、ガード・インターバル区間がヌル信号で構成されるＯＦＤＭ信号を受信する無線通信装置であって、
受信シンボルの有効シンボル部分からはみ出した信号成分を反対側の有効シンボル部分に加算する巡回加算によって受信信号の波形を整形する波形整形部と、
波形整形した後の受信信号の処理を行なう信号処理部を備え、
前記波形整形部は、受信シンボルのうち有効シンボル部分の先頭からはみ出した信号部分を保存するメモリと、受信シンボルのうち有効シンボル部分の末尾からはみ出した信号部分を取り出して前記メモリに保存されている信号部分と加算する加算器と、受信シンボルのうち有効シンボル部分及び前記加算器の出力信号を選択的に信号処理部に出力する選択部を備える、
ことを特徴とする無線通信装置である。
【００２３】
本発明は、ＯＦＤＭ通信システムでは、ＯＦＤＭシンボルの１シンボル毎に遅延波の最大遅延時間よりもガード・インターバルを大きくすることで、シンボル間干渉を防ぐことができる。このガード・インターバル区間をヌル信号で構成することにより、送信側では、送信電力を節約するとともに、ＳＮＲの劣化（前述）を防止するとともに、繰り返し信号を挿入した場合に余剰となった送信電力を送信シンボル期間に充当することによって、より効率的な送信動作を行なうこともできる。
【００２４】
一方、受信側では、受信シンボルの有効シンボル部分からはみ出した信号成分を反対側の有効シンボル部分に加算するという巡回加算処理を実施することによって、受信シンボルの先頭の遅延波成分と加算されたガード・インターバル部分の信号波形を連続にしてサブキャリア間の干渉を除去することができる。
【００２５】
本発明に係る無線通信装置は、巡回加算を行なう波形整形回路を、受信シンボルのうち有効シンボル部分の先頭からはみ出した信号部分を保存するメモリと、受信シンボルのうち有効シンボル部分の末尾からはみ出した信号部分を取り出して前記メモリに保存されている信号部分と加算する加算器と、受信シンボルのうち有効シンボル部分及び前記加算器の出力信号を選択的に信号処理部に出力する選択部からなる、小規模な回路で実現することができる。
【００２６】
ここで、広いガード・インターバルを設けると、ガード・インターバルの最後まで受信シンボルがあるとは限らない。このような場合、有効シンボル部分からはみ出した部分全体を有効シンボルの反対側に巡回加算すると、本来はヌル信号であるはずのガード・インターバル部分に重畳されているノイズもそのまま加算されることになるので、雑音電力が増加するという問題を招来するおそれがある。
【００２７】
この問題を解決するために、波形整形部は、伝搬路の推定結果から推定される最大遅延時間に応じて巡回加算する範囲Ｎを決定するようにすればよい。
【００２８】
具体的には、伝搬路を推定するとともに、該推定結果に基づいて求められる最大遅延時間に応じて巡回加算を行なう範囲を決定する。そして、前記波形整形部は、受信シンボルの先頭から該決定した範囲の信号を前記メモリに保存し、前記加算器は、受信シンボルの末尾から該決定した範囲の信号と前記メモリに保存されている信号を加算し、前記選択部は、受信シンボルから前後の該決定した範囲を切り落とした部分の信号と前記加算器の出力信号を有効シンボルとして前記信号処理部に出力する。
【００２９】
但し、巡回加算する範囲Ｎがガード・インターバル長よりも短くなる場合には、ＦＦＴが適用される範囲は本来の位置からずれることから、巡回加算する範囲に応じたＦＦＴウィンドウ・タイミングを前記フーリエ変換部に通知する必要がある。また、ＦＦＴウィンドウ位置が移動することに伴って位相ずれが生じることから、巡回加算する範囲に応じた位相情報を前記チャネル補正部に通知する必要がある。
【００３０】
あるいは、前記波形整形部は、前記波形整形部は、該決定した範囲までは前記メモリから読み出した受信信号を前記加算器に供給するとともに、それ以降は受信信号を０に切り替える信号切り替え部を備えるようにしてもよい。このような場合、受信シンボルのうち有効シンボルの末尾からはみ出した部分では、決定した範囲以降では受信信号を０に切り替えて巡回加算を行なうことになるので、伝搬路状況に伴う最大遅延時間の変化に対応して、ノイズのみが加算されることを防ぎ、受信ＳＮＲを向上させることができる。
【００３１】
後者の場合、決定した範囲以降は受信信号を０に切り替えるだけで巡回加算する範囲自体はガード・インターバル長のままであるから、ＦＦＴが適用される範囲も本来のＦＦＴウィンドウの位置のままである。したがって、ＦＦＴウィンドウ・タイミングを前記フーリエ変換部に通知したり、巡回加算する範囲に応じた位相情報を前記チャネル補正部に通知したりする必要はない。
【００３２】
また、本発明の第２の側面は、ガード・インターバル区間がヌル信号で構成されるＯＦＤＭ信号を受信するための処理をコンピュータ上で実行するようにコンピュータ可読形式で記述されたコンピュータ・プログラムであって、前記コンピュータに対し、
受信シンボルのうち有効シンボル部分の先頭からはみ出した信号部分を保存する信号保存手順と、
受信シンボルのうち有効シンボル部分について信号処理を行なう第１の信号処理手順と、
受信シンボルのうち有効シンボル部分の末尾からはみ出した信号部分を前記信号保存ステップにおいて保存した信号部分と巡回加算する巡回加算手順と、
巡回加算した後の受信信号の処理を行なう第２の信号処理手順と、
を実行させることを特徴とするコンピュータ・プログラムである。
【００３３】
本発明の第２の側面に係るコンピュータ・プログラムは、コンピュータ上で所定の処理を実現するようにコンピュータ可読形式で記述されたコンピュータ・プログラムを定義したものである。換言すれば、本発明の第２の側面に係るコンピュータ・プログラムをコンピュータ・システムにインストールすることによって、コンピュータ上では協働的作用が発揮され、本発明の第１の側面に係る無線通信装置と同様の作用効果を得ることができる。
【発明の効果】
【００３４】
本発明によれば、キャリア間干渉を防止するためにガード・インターバル区間がヌル信号で構成されたマルチキャリア信号を好適に受信することができる、優れた無線通信装置及び無線通信方法、並びにコンピュータ・プログラムを提供することができる。
【００３５】
また、本発明によれば、伝搬路状況から推定される最大遅延時間に基づいてガード・インターバル部分に生じた遅延波成分を適切に切り出して巡回加算を実施することで、キャリア間干渉を適切に除去してマルチキャリア信号を好適に受信処理することができる、優れた無線通信装置及び無線通信方法、並びにコンピュータ・プログラムを提供することができる。
【００３６】
本発明によれば、例えば、ＭＢ−ＯＦＤＭ方式のＵＷＢ受信機において、巡回加算を行なう小規模な波形整形回路を実現して、マルチパスの影響による波形歪みを発生させなくすることができる。
【００３７】
また、本発明を適用したＯＦＤＭ受信機によれば、最大遅延時間が小さいような通信環境では、受信シンボルのうち最大遅延時間に応じて巡回加算を行なう範囲を変更することによって、ノイズのみを加算することによる特性の劣化を防ぐことができる。あるいは、巡回加算を行なう範囲のうち最大遅延時間を超える部分に関しては、受信信号をヌル信号に切り替える簡易な回路を配設することで、少ない回路規模で、伝搬路に応じた巡回加算を実現することができる。
【００３８】
本発明のさらに他の目的、特徴や利点は、後述する本発明の実施形態や添付する図面に基づくより詳細な説明によって明らかになるであろう。
【発明を実施するための最良の形態】
【００３９】
本発明は、ＯＦＤＭ方式の通信システムに関する。ＯＦＤＭ方式は、マルチキャリア伝送方式の一種で、各キャリアがシンボル区間内で相互に直交するように各キャリアの周波数が設定される。高速信号を多数のサブキャリアに分割して送信する結果、キャリア単体での伝送速度は低速になるため、遅延波の干渉に対して強くなる。以下、図面を参照しながら本発明の実施形態について詳解する。
【００４０】
図１には、本発明の実施に供される送信装置の構成を模式的に示している。同図では、主にＯＦＤＭ送信機におけるＰｈｙベースバンド処理部の構成を図解しており、送信データを生成する上位レイヤ、並びにアナログＲＦ処理部の構成は省略している。
【００４１】
符号器１１は、送信データを誤り訂正符号で符号化する。変調部１２は、送信データを入力すると、所定の変調情報とタイミングに従って、例えばＱＰＳＫ（ＱｕａｄｒａｔｕｒｅＰｈａｓｅ Ｓｈｉｆｔ Ｋｅｙｉｎｇ）方式により変調を行なう。ＱＰＳＫは、デジタル変調方式としての位相変調方式の１つであり、０相に（０，０）、π／２相に（０，１）、π相に（１，０）、３／π相に（１，１）を対応させて伝送する。
【００４２】
送信データの変調処理を行なった時点で、パイロット・シンボル挿入パターン並びにタイミングに従って、既知のデータ系列をパイロット・シンボルとして変調シンボル系列に挿入するようにしてもよい。サブキャリア毎あるいはサブキャリア数本の間隔で、既知パターンからなるパイロット信号が挿入される。
【００４３】
シリアル・パラレル変換器１３は、変調されたシリアル形式の信号を、並列キャリア数並びにタイミングに従って、並列キャリア数分のパラレル・データに変換してまとめる。
【００４４】
高速フーリエ逆変換器（ＩＦＦＴ）１４及びパラレル・シリアル変換器１５では、所定のＦＦＴサイズ並びにタイミングに従ってＦＦＴサイズ分の逆フーリエ変換を行ない、周波数軸での各キャリアの直交性を保持したまま時間軸の信号に変換する。
【００４５】
ガード・インターバル挿入部１６は、１ＯＦＤＭシンボル分の信号が送信された後、その出力をパラレル・シリアル変換器１５側から“０”信号（例えばグランド）側に切り替え、ガード・インターバルに相当する時間だけヌル信号を送信する。但し、プリアンブル信号の送出時のみ（あるいはその他の所定の期間だけ）、ガード・インターバル挿入部１６は、繰り返し信号からなるガード・インターバルを挿入するようにしてもよい。
【００４６】
ＯＦＤＭ変調された送信データはＤＡ変換され、図示しないアナログＲＦ処理部では、さらにローパス・フィルタ（ＬＰＦ）により所望帯域の信号成分のみを取り出した後、ローカル信号と周波数合成を行なうことにより、アナログ・ベースバンド信号を無線信号にアップコンバートする。この無線信号は、電力増幅器（ＰＡ）により所望の送信電力レベルに増幅され、送信アンテナから伝送路に放出される。
【００４７】
図２には、送信信号の構成を模式的に示している。図示の通り、ＯＦＤＭシンボルの１シンボル毎に、ガード・インターバルとしてヌル信号が挿入されている。ガード・インターバルの時間幅は、伝搬路の状況、すなわち復調に影響を及ぼす遅延波の最大遅延時間によって決定される（遅延時間はガード・インターバル内に収まる）。遅延波の最大遅延時間よりもガード・インターバルを大きくすることで、シンボル間干渉を防ぐことができる。
【００４８】
ガード・インターバル区間をヌル信号で構成することにより、送信電力を節約するとともに、ＳＮＲの劣化（前述）を防止することができる。また、ガード・インターバル区間をヌル信号とすることにより余剰となった送信電力を送信シンボル期間に充当することによって、より効率的な送信動作を行なうこともできる。
【００４９】
但し、受信側において、既知パターンからなるプリアンブル信号を用いて自己相関による同期処理を行なう場合には、正確に同期を獲得するために、プリアンブル信号の送信時のみ、従来通りガード・インターバル区間に繰り返し信号を挿入し（図３を参照のこと）、データ送信時にヌル信号からなるガード・インターバルを挿入するようにしてもよい。
【００５０】
また、図４には、本発明の実施に供される受信装置の構成を模式的に示している。同図では、主にＯＦＤＭ受信機におけるＰｈｙベースバンド処理部の構成を図解しており、無線信号を受信するアナログＲＦ処理部、並びに復号された受信データを処理する上位レイヤの構成は省略している。
【００５１】
図示しないアナログＲＦ処理部では、アンテナで受信した無線信号を低雑音増幅器（ＬＮＡ）で増幅した後、ローカル信号と周波数合成することによりアナログ・ベースバンド信号にダウンコンバートする。さらに、希望信号以外の不要成分をバンドパス・フィルタ（ＢＰＦ）を用いて除去して、可変利得増幅器（ＶＧＡ）で増幅し、ＡＤ変換する。
【００５２】
同期検出部２１は、パケットのプリアンブル部分を用いて、伝搬路でマルチパス・フェーディングを受けた受信信号から同期タイミングを検出する。送信機は、プリアンブル信号の送出時のみガード・インターバル区間に繰り返し信号を挿入することによって（前述）、より高精度に同期を獲得することができる。
【００５３】
シリアル・パラレル変換器２２は、検出された同期タイミングに従って、シリアル・データとしての受信信号を並列キャリア数分のパラレル・データに変換してまとめる。ここでは、シンボル長とガード・インターバルを含んだ範囲の信号がまとめられる。
【００５４】
次に、波形整形部２３では、ガード・インターバル部分又は受信信号の有効シンボルからガード・インターバル部分にはみ出た遅延波成分を利用して、有効シンボルの先頭部分に巡回加算することによって波形の整形処理を行なう。ガード・インターバルにヌル信号を挿入するＯＦＤＭ通信方式では、受信信号の有効シンボル以降の成分を有効シンボルの先頭の遅延波成分に巡回加算を実施することによって、受信シンボルの先頭の遅延波成分と加算されたガード・インターバル部分の信号波形を連続にしてサブキャリア間の干渉を除去することができる（前述）。巡回加算の方法並びに波形整形部２３の詳細な動作については後述する。
【００５５】
高速フーリエ変換器（ＦＦＴ）２４はシンボル長分の信号をフーリエ変換し、パラレル・シリアル変換器２５は時間軸の信号を周波数軸の信号に変換し、各サブキャリアの信号を取り出す。
【００５６】
チャネル補正回路２６では、等化処理、位相トラッキング、残留周波数オフセット補正といったチャネル補正処理が行なわれる。チャネル補正の方法自体は本発明の要旨に直接関連しないので、ここでは詳細な説明を省略する。
【００５７】
そして、チャネル補正後の受信信号は、復調器２７により例えばＱＰＳＫ復調し、復号器２８により誤り訂正符号で復号した後、受信データとなり、通信プロトコルの上位レイヤによって処理される。
【００５８】
図５には、波形整形部２３における動作特性を模式的に示している。伝搬路のマルチパスにより遅延波の影響を受けて、受信シンボルは図示のように歪んだ波形となる。上述したように、送信時にガード・インターバルＴgにはヌル信号が挿入されている。ここで、遅延波の最大遅延時間はガード・インターバルＴgを超えないと仮定すると、遅延波は次のシンボルにかからないから、シンボル間干渉は生じない。ところが、受信シンボルの有効シンボル部分（同図中の有効シンボル長Ｔeの範囲）からそのままフーリエ変換を適用する範囲（ＦＦＴウィンドウ）を取り出してＦＦＴ２４へ入力すると、送信時の窓関数及び伝搬路で生じた遅延波の影響によってサブキャリア間干渉が生じ、受信特性が大きく劣化する。
【００５９】
そこで、本実施形態では、波形整形部２３は、図５に示すように、受信シンボルの有効シンボル部分からはみ出した信号成分を反対側の有効シンボル部分に加算するという巡回加算処理を行なう。図示のように有効シンボル部分を取った場合は、末尾のＴr＋Ｔgの部分を有効シンボルの先頭に、先頭のＴrの部分を有効シンボルの末尾にそれぞれ加算する。このような巡回加算を施した後、有効シンボル部分の信号をＦＦＴウィンドウとして取り出し、ＦＦＴ２４への入力とする。このとき、繰り返し信号部分は同相で加算されるため、送信側の窓関数で減衰した信号エネルギは復元される。また、遅延波成分は有効シンボル内で連続となるため、サブキャリア間干渉がなくなる。
【００６０】
図６には、波形整形部２３の内部構成例を示している。図示の波形整形部２３は、主に、有効シンボルの先頭部分からはみ出した成分を有効シンボルの末尾に加算するように構成されている。この波形整形部２３の動作について、図７を参照しながら説明する。
【００６１】
送信シンボルの後に、繰り返し信号の代わりにヌル信号からなる広いガード・インターバルが付けられた信号（図７（ａ）を参照）を受信すると、受信シンボルは図７（ｂ）に示すように遅延の影響が現れる。波形整形部２３内では、有効シンボルの先頭からはみ出した成分Ａを一旦メモリに保存し、有効シンボル長の部分Ｂをそのまま後段のＦＦＴ２４に出力する。そして、有効シンボルの末尾からはみ出した成分Ｃをメモリに保存したＡと加算して、ＦＦＴ２４に出力する。この場合、ＦＦＴが適用されるのはＢとＣの範囲となる。このようにして、巡回加算が可能な波形整形部２３を簡易に構成することができる。
【００６２】
一方、広いガード・インターバルを設けると、ガード・インターバルの最後まで受信シンボルあるとは限らない。このような場合、図５並びに図７に示したように有効シンボル部分からはみ出した部分全体を有効シンボルの反対側に巡回加算すると、本来はヌル信号であるはずのガード・インターバル部分に重畳されているノイズもそのまま加算されることになるので、雑音電力が増加するという問題がある。すなわち、図８に示すように、ガード・インターバルの区間であるＣの後半には受信シンボルはなくノイズのみなので、ＡをＣに加算すると、ノイズだけを加算する箇所が発生し、これにより受信特性は劣化する。
【００６３】
この問題を解決するために、本実施形態では、波形整形部２３は、伝搬路の推定結果から推定される最大遅延時間に応じて巡回加算する範囲Ｎを決定したり、あるいは受信ＳＮＲが最大となるように巡回加算したりすることで、受信シンボルのない部分での巡回加算による特性の劣化を回避するようにした。
【００６４】
図９には、伝搬路の推定結果に基づいて決定される範囲で巡回加算するための処理手順をフローチャートの形式で示している。
【００６５】
まず、伝搬路の推定を行なう（ステップＳ１）。送信側ではサブキャリア毎あるいはサブキャリア数本の間隔で、既知パターンからなるパイロット信号が挿入されているので、例えばフーリエ変換後の周波数軸上に並んだ信号から伝搬路を推定することができる。
【００６６】
次いで、この伝搬路の推定結果に基づいて、最大遅延時間を算出し、有効シンボルの末尾からはみ出した部分において巡回加算を行なう範囲Ｎを決定する（ステップＳ２）。
【００６７】
最大遅延時間を算出する方法として、例えば、受信信号に含まれる基地パターンを利用して相関を求め、この相関結果を受信信号の電力に基づいて正規化し、正規化された相関結果と所定の閾値を比較する方法が挙げられる（例えば、特許文献１を参照のこと）。あるいは、相関結果を正規化するのではなく、閾値を受信信号の電力に乗算するようにしてもよい。相関には、参照シンボルと受信したシンボルとの相互相関を用いることができる。
【００６８】
次いで、決定した範囲Ｎが規定値以下であるかどうかをチェックする（ステップＳ３）。範囲Ｎが規定値以下であれば、その範囲Ｎで巡回加算を行なうこととし（ステップＳ４）、範囲Ｎが規定値を超えるときにはガード・インターバル長を基に設定されている最大範囲で巡回加算を行なうことにする（ステップＳ５）。
【００６９】
図１０には、伝搬路の推定結果に基づいて巡回加算する範囲を決定するように構成された波形整形部２３の構成例を示している。この波形整形部２３の動作について、図１１を参照しながら説明する。
【００７０】
送信シンボルの後に、繰り返し信号の代わりにヌル信号からなる広いガード・インターバルが付けられた信号（図１１（ａ）を参照）を受信すると、受信シンボルは図１１（ｂ）に示すように遅延の影響が現れる。波形整形部２３内では、有効シンボルの先頭からはみ出した部分のうち、図９に示した処理手順に従って決定される範囲ＮからＡを切り出してメモリに保存し、有効シンボル長の部分Ｂをそのまま後段のＦＦＴ２４に出力する。そして、有効シンボルの末尾からはみ出した部分のうち同範囲ＮからＣを切り出し、これをメモリに保存したＡと加算して（図１１（ｃ）を参照）、ＦＦＴ２４に出力する。
【００７１】
ＦＦＴが適用されるのはＢとＣの範囲であるが、巡回加算処理によって受信シンボルの先頭部分の遅延波成分と加算されたガード・インターバル部分の信号波形は連続となりサブキャリア間の干渉がなくなるとともに、受信シンボルに加算される雑音成分も最低限となることから、受信ＳＮＲが向上する。また、巡回加算が可能な波形整形部２３を簡易に構成することができる。
【００７２】
但し、巡回加算する範囲Ｎがガード・インターバル長よりも短くなる場合には、図１１（ｃ）からも分るように、ＡとＣが短くなることに伴い、ＦＦＴが適用される範囲は本来の位置からずれることから、巡回加算する範囲Ｎに応じたＦＦＴウィンドウ・タイミングをＦＦＴ２４に通知する必要がある。また、ＦＦＴウィンドウ位置が移動することに伴って位相ずれが生じることから、このような位相情報をチャネル補正回路に通知して、正しくチャネル補正できるようにする必要がある。
【００７３】
また、図１２には、受信ＳＮＲが最大となるように巡回加算するための処理手順をフローチャートの形式で示している。
【００７４】
まず、伝搬路の推定を行なう（ステップＳ１１）。送信側ではサブキャリア毎あるいはサブキャリア数本の間隔で、既知パターンからなるパイロット信号が挿入されているので、例えばフーリエ変換後の周波数軸上に並んだ信号から伝搬路を推定することができる。
【００７５】
次いで、この伝搬路の推定結果に基づいて、最大遅延時間を算出し、有効シンボルの末尾からはみ出した部分において巡回加算を行なう範囲Ｎを決定する（ステップＳ１２）。最大遅延時間の算出方法は上述と同様である。
【００７６】
次いで、決定した範囲Ｎが規定値以下であるかどうかをチェックする（ステップＳ３）。
【００７７】
ここで、巡回加算する範囲Ｎが規定値を超えるときには、ガード・インターバル長を基に設定されている最大範囲で巡回加算を行なうことにする（ステップＳ１５）。
【００７８】
一方、巡回加算する範囲Ｎが規定値以下の場合には、その範囲Ｎでは有効シンボルの先頭からはみ出した信号をそのまま有効シンボルの末尾からはみ出した信号に巡回加算を行なうが、範囲Ｎを超えた部分では、受信信号を０に切り替えて巡回加算を行なう（ステップＳ１５）。
【００７９】
図１３には、受信ＳＮＲが最大となるように構成された波形整形部２３の構成例を示している。この波形整形部２３の動作について、図１４を参照しながら説明する。
【００８０】
送信シンボルの後に、繰り返し信号の代わりにヌル信号からなる広いガード・インターバルが付けられた信号（図１４（ａ）を参照）を受信すると、受信シンボルは図１４（ｂ）に示すように遅延の影響が現れる。波形整形部２３内では、有効シンボルの先頭からはみ出した部分Ａを一旦メモリに保存し、有効シンボル長の部分Ｂをそのまま後段のＦＦＴ２４に出力する。そして、有効シンボルの末尾からはみ出した部分Ｃのうち、図１２に示した処理手順に従って決定される範囲Ｎまではメモリに保存したＡと加算して、ＦＦＴ２４に出力する。そして、同範囲Ｎ以降では、受信信号を０に切り替えて巡回加算を行なう（図１４（ｃ）を参照）。
【００８１】
ＦＦＴが適用されるのはＢとＣの範囲であるが、巡回加算処理によって受信シンボルの先頭部分の遅延波成分と加算されたガード・インターバル部分の信号波形は連続となりサブキャリア間の干渉がなくなる。また、ガード・インターバル内で受信シンボルが終わった以降のノイズのみの範囲ではヌル信号に変わっているので、ノイズのみが巡回加算されることはないから、受信ＳＮＲが向上する。また、巡回加算が可能な波形整形部２３を簡易に構成することができる。
【００８２】
また、図１３に示した構成によれば、巡回加算する範囲自体はガード・インターバル長と同じであり、ＦＦＴが適用される範囲であるＢとＣは本来のＦＦＴウィンドウの位置のままである。したがって、図１０に示した構成とは相違し、巡回加算する範囲Ｎに応じたウィンドウ・タイミングをＦＦＴ２４に通知したり、ＦＦＴウィンドウ位置が移動することに伴う位相情報をチャネル補正回路に通知したりする必要はない。
【００８３】
以上説明してきたように、本発明によれば、例えば、ＭＢ−ＯＦＤＭ方式のＵＷＢ受信機において、巡回加算を行なう小規模な波形整形回路を実現して、マルチパスの影響による波形歪みを発生させなくすることができる。
【００８４】
また、本発明を適用したＯＦＤＭ受信機によれば、最大遅延時間が小さいような通信環境では、受信シンボルのうち最大遅延時間に応じて巡回加算を行なう範囲を変更することによって、ノイズのみを加算することによる特性の劣化を防ぐことができる。あるいは、巡回加算を行なう範囲のうち最大遅延時間を超える部分に関しては、受信信号をヌル信号に切り替える簡易な回路を配設することで、少ない回路規模で、伝搬路に応じた巡回加算を実現することができる。
【産業上の利用可能性】
【００８５】
以上、特定の実施形態を参照しながら、本発明について詳解してきた。しかしながら、本発明の要旨を逸脱しない範囲で当業者が該実施形態の修正や代用を成し得ることは自明である。
【００８６】
本発明の要旨は、ＭＢ−ＯＦＤＭ方式のＵＷＢ受信機に限定されるものではない。ＵＷＢ以外の帯域を使用してＯＦＤＭ伝送を行なう通信装置や、ＯＦＤＭ以外のマルチキャリア変調方式を用いた通信装置に対しても同様に本発明を適用することができる。
【００８７】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００８８】
【図１】図１は、本発明の実施に供される送信装置の構成を模式的に示した図である。
【図２】図２は、送信信号の構成を模式的に示した図である。
【図３】図３は、プリアンブル信号の送信時のみガード・インターバル区間に繰り返し信号を挿入し、データ送信時にヌル信号からなるガード・インターバルを挿入した送信信号の構成を模式的に示した図である。
【図４】図４は、本発明の実施に供される受信装置の構成を模式的に示した図である。
【図５】図５は、波形整形部２３における動作特性を模式的に示した図である。
【図６】図６は、波形整形部２３の内部構成例を示した図である。
【図７】図７は、図６に示した波形整形部２３の動作を説明するためのタイミング・チャートである。
【図８】図８は、ガード・インターバルの区間の後半に受信シンボルがない場合に巡回加算を行なう様子を示した図である。
【図９】図９は、伝搬路の推定結果に基づいて決定される範囲で巡回加算するための処理手順を示したフローチャートである。
【図１０】図１０は、伝搬路の推定結果に基づいて巡回加算する範囲を決定するように構成された波形整形部２３の構成例を示した図である。
【図１１】図１１は、図１０に示した波形整形部２３の動作を説明するためのタイミング・チャートである。
【図１２】図１２は、受信ＳＮＲが最大となるように巡回加算するための処理手順を示したフローチャートである。
【図１３】図１３は、受信ＳＮＲが最大となるように構成された波形整形部２３の構成例を示した図である。
【図１４】図１４は、図１３に示した波形整形部２３の動作を説明するためのタイミング・チャートである。
【符号の説明】
【００８９】
１１…符号器
１２…変調器
１３…シリアル・パラレル変換器
１４…高速フーリエ逆変換器（ＩＦＦＴ）
１５…パラレル・シリアル変換器
１６…ガード・インターバル挿入部
２１…同期検出部
２２…シリアル・パラレル変換器
２３…波形整形部
２４…高速フーリエ変換器（ＦＦＴ）
２５…パラレル・シリアル変換器
２６…チャネル補正回路
２７…復調器
２８…復号器
【図１】
2007243235.tif 000003
【図２】
2007243235.tif 000004
【図３】
2007243235.tif 000005
【図４】
2007243235.tif 000006
【図５】
2007243235.tif 000007
【図６】
2007243235.tif 000008
【図７】
2007243235.tif 000009
【図８】
2007243235.tif 000010
【図９】
2007243235.tif 000011
【図１０】
2007243235.tif 000012
【図１１】
2007243235.tif 000013
【図１２】
2007243235.tif 000014
【図１３】
2007243235.tif 000015
【図１４】
2007243235.tif 000016